(57)【要約】【課題】眼鏡フレームのヨロイとテンプルを連結するのに有効であって、ばねの弾性力によってテンプルに挟持力を与えるばね蝶番を提供する。  【解決手段】端部に連結用の軸孔を備えるとともに、端面から内部に向かって穿設された収容孔を備える一方の部材７０と、端部に連結用の軸孔を備える他方の部材８０と、収容孔の内部に収容されるコイルばね６０及びスライダー５０と、２つの連結孔３１、３２を備える連結板３０とを備え、一方の部材７０の軸孔と連結孔３１とを軸ねじ４１で連結し、他方の部材８０の軸孔と連結孔３２とを軸ねじ４２で連結する。連結板３０の一方の端部とスライダー５０の一端とが当接する。【選択図】図１
2011002706.tif 000002
【特許請求の範囲】
【請求項１】
眼鏡フレームを構成する二つの部材を回動自在に連結するばね蝶番であって、
端部に連結用の軸孔を備えるとともに、端面から内部に向かって穿設された収容孔を備える一方の部材と、端部に連結用の軸孔を備える他方の部材と、
前記収容孔の内部に収容されるコイルばねと、前記収容孔の内部に前記コイルばねよりも入口側に収容される柱状のスライダーと、２つの連結孔を備える連結板とを備え、
前記一方の部材の軸孔と前記一方の連結孔とを軸ねじで連結し、前記他方の部材の軸孔と前記他方の連結孔とを軸ねじで連結し、
かつ、前記連結板の一方の端部と前記スライダーの一端とが当接することを特徴とするばね蝶番。
【請求項２】
前記一方の部材と前記連結板との相互回動範囲が、１０〜１５°であることを特徴とする請求項１に記載のばね蝶番。
【請求項３】
前記他方の部材と前記連結板との相互回動範囲が、略９０°であることを特徴とする請求項１又は２に記載のばね蝶番。
【請求項４】
前記一方の部材がテンプルであり、前記他方の部材がヨロイである請求項１乃至３の何れかに記載のばね蝶番。
【発明の詳細な説明】
【技術分野】
【０００１】
本発明は、眼鏡フレームのヨロイとテンプルとを相対的に回動自在に連結する蝶番に関し、特に、ばねの弾性力によってテンプルに挟持力を与えるばね蝶番に関する。
【背景技術】
【０００２】
一般的な眼鏡フレームは、ヨロイとテンプルとが蝶番によって連結されており、眼鏡を着用するときには、左右のテンプルが夫々フロントフレームに対して略９０°開き、不使用のときには、左右のテンプルが夫々フロントフレームの裏側に重なるように、折り畳むことができる。
【０００３】
両テンプルを開いた状態で、両テンプル間の距離は、使用者の頭にフィットするように調整される。通常の蝶番を使用する場合には、テンプルの弾性によって少し頭を挟持するように調整されているが、テンプルの弾性だけでは十分な調整ができなかったり、経時的な変化に対応して再調整が必要となったりする。そこで、ばね蝶番を使用する方が、適当な挟持力とすることが可能であり、また、長期間に亘って安定した挟持力を作用させることができる。
【０００４】
ばね蝶番は、その構造が複雑で大きなものとなるために、対象となる眼鏡フレームが限定され、また、安価に製造することができないという欠点がある。比較的簡単な構造を備えたばね蝶番として、特許文献１に記載されたばね蝶番がある。図７に示すように、特許文献１に記載されたばね蝶番１１０は、ヨロイ１８０のコマ部１８１とテンプル１７０のコマ部１７１とを軸ねじ１４０で連結する蝶番である。
【０００５】
ヨロイ１８０の端部には、収容孔１８２が穿設され、その開口縁部には雌ねじが刻設されている。収容孔１８２には、圧縮状態のコイルばね１６０と、拡径頭部１５１を備えたスライダー１５０が挿入されている。そして、雄ねじを刻設した筒状のストッパー１９０が収容孔１８２の雌ねじに螺着されている。
【０００６】
図７（１）は、テンプル１７０を開いた状態を示し、この状態で使用者の頭を少し挟持するように、スライダー１５０の長さが調整されている。図７（２）は、テンプル１７０をさらに拡開した状態を示し、コイルばね１６０が圧縮されてスライダー１５０に強い力が働き、テンプル１７０を図７（１）の状態に戻そうとする力が働いている。使用者は、図７（２）の状態で眼鏡を装着し、図７（１）に近い状態で使用することになる。したがって、テンプル１７０は、使用者の頭を適当な力で挟持することが可能であり、長期間に亘って安定して挟持力を持続させることができる。
【０００７】
また、ばね蝶番１１０は、従来のばね蝶番と比較して構造が簡単であり、安価に製造することができる。しかしながら、収容孔１８２は、スライダー１５０及びコイルばね１６０を収容するだけでなく、スライダー１５０が摺動するストッパー１９０を螺着する必要がある。このため、収容孔１８２が必然的に大きくなって、テンプル１７０の側に取付けることは困難であり、構成部材の主要部は、ヨロイ１８０の側に取付けられている。
【先行技術文献】
【特許文献】
【０００８】
【特許文献１】特開平９−１９７３５１号公報
【発明の概要】
【発明が解決しようとする課題】
【０００９】
この発明が解決しようとする課題は、眼鏡フレームのヨロイとテンプルとを回動自在に連結するばね蝶番であって、簡単な構造で安価に製造することができるばね蝶番を提供することである。また、全体がコンパクトであり、構成部材の主要部をテンプル側に取付けることが可能なばね蝶番を提供することである。そして、汎用性の高いばね蝶番を提供することである。
【課題を解決するための手段】
【００１０】
本発明の請求項１に係るばね蝶番は、眼鏡フレームを構成する二つの部材を回動自在に連結するばね蝶番であって、端部に連結用の軸孔を備えるとともに、端面から内部に向かって穿設された収容孔を備える一方の部材と、端部に連結用の軸孔を備える他方の部材と、前記収容孔の内部に収容されるコイルばねと、前記収容孔の内部に前記コイルばねよりも入口側に収容される柱状のスライダーと、２つの連結孔を備える連結板とを備え、前記一方の部材の軸孔と前記一方の連結孔とを軸ねじで連結し、前記他方の部材の軸孔と前記他方の連結孔とを軸ねじで連結し、かつ、前記連結板の一方の端部と前記スライダーの一端とが当接する手段を採用している。
【００１１】
また、本発明の請求項２に係るばね蝶番は、請求項１に記載のばね蝶番であって、前記一方の部材と前記連結板との相互回動範囲が、１０〜１５°である手段を採用している。また、本発明の請求項３に係るばね蝶番は、請求項１又は２に記載のばね蝶番であって、前記他方の部材と前記連結板との相互回動範囲が、略９０°である手段を採用している。また、本発明の請求項４に係るばね蝶番は、請求項１乃至３の何れかに記載のばね蝶番であって、前記一方の部材がテンプルであり、前記他方の部材がヨロイである手段を採用している。
【発明の効果】
【００１２】
本発明のばね蝶番は、眼鏡フレームのヨロイとテンプルとを回動自在に連結するばね蝶番であって、簡単な構造で安価に製造することができる。また、全体がコンパクトであり、構成部材の主要部をテンプル側に取付けることが可能である。そして、汎用性の高いばね蝶番を提供することができる。
【図面の簡単な説明】
【００１３】
【図１】本発明のばね蝶番の一例を示し、（１）は開いた状態における概略平面図、（２）はその一部断面図である。
【図２】図１のばね蝶番をさらに拡開した状態を示し、（１）は概略平面図、（２）はその一部断面図である。
【図３】図１のばね蝶番を閉じた状態を示し、（１）は概略平面図、（２）はその一部断面図である。
【図４】一方の部材を示し、（１）は概略平面図、（２）は（１）におけるＡ−Ａ矢視概略立面図、（３）は（１）におけるＢ−Ｂ矢視概略側面図である。
【図５】他方の部材を示し、（１）は概略平面図、（２）は（１）におけるＡ−Ａ矢視概略立面図、（３）は（１）におけるＢ−Ｂ矢視概略側面図である。
【図６】主要構成部品を示し、（１）は連結板の概略平面図、（２）は（１）におけるＡ−Ａ矢視概略立面図、（３）は（１）におけるＢ−Ｂ矢視概略側面図であり、（４）はコイルばねの概略平面図、（５）は（４）におけるＣ−Ｃ矢視概略側面図であり、（６）はスライダーの概略平面図、（７）は（６）におけるＤ−Ｄ矢視概略側面図である。
【図７】従来のばね蝶番の一例を示し、（１）は開いた状態における概略平面図、（２）は（１）の状態からさらに拡開した状態における概略平面図である。
【発明を実施するための形態】
【００１４】
本発明のばね蝶番は、眼鏡フレームを構成する二つの部材を回動自在に連結するものであって、以下の説明では一方の部材をテンプルとし他方の部材をヨロイとした場合を例示するが、一方の部材をヨロイとし他方の部材をテンプルとすることもできる。
【００１５】
図１〜図３は、本発明のばね蝶番１０の一例であって、図１は二つの部材を開いた状態を示し、図２は図１の状態からさらに拡開した状態を示し、図３は二つの部材を閉じた状態を示している。ばね蝶番１０は、一方の部材７０の端部と他方の部材８０の端部が、連結板３０及び軸ねじ４１、４２で連結されている。
【００１６】
一方の部材７０を図４に示す。一方の部材７０は、その端部に連結板３０の一方の側を挿入するためのスリット空間７１が形成されるとともに、その端面から内部に向って断面が円形の収容孔７２が穿設されている。そして、スリット空間７１を挟む端部には、連結板３０を連結するための軸孔７３が形成されている。
【００１７】
他方の部材８０を図５に示す。他方の部材８０は、その端部に連結板３０の他方の側を挿入するためのスリット空間８１が形成されるとともに、スリット空間８１を挟む端部には、連結板３０を連結するための軸孔８３が形成されている。
【００１８】
連結板３０を図６に示す。連結板３０の一方の側には、一方の部材７０の端部を連結するための連結孔３１が設けられている。これによって、連結板３０の一方の側を一方の部材７０のスリット空間７１に挿入するとともに、軸孔７３と連結孔３１とを軸ねじ４１で連結することができる。
【００１９】
また、連結板３０の他方の側には、他方の部材８０の端部を連結するための連結孔３２が設けられている。これによって、連結板３０の他方の側を他方の部材８０のスリット空間８１に挿入するとともに、軸孔８３と連結孔３２とを軸ねじ４２で連結することができる。
【００２０】
一方の部材７０の軸孔７３及び他方の部材８０の軸孔８３は、共にその一部がねじ孔に形成されている。そして、軸ねじ４１、４２を、軸孔７３、８３に螺合できるように形成されている。軸孔７３、８３をねじ孔とする替わりに、ロックナットを用いて取付けることもできる。
【００２１】
本発明のばね蝶番１０は、一方の部材７０に穿設した収容孔７２に、コイルばね６０及びスライダー５０を挿入し、コイルばね６０の反力によって閉じる方向の力を作用させることができる。図６（４）（５）にコイルばね６０を、図６（６）（７）にスライダー５０を示す。図１〜図３により、ばね蝶番１０の構造及び作用を説明する。
【００２２】
図１は、二つの部材７０、８０を開いた状態であり、使用者が眼鏡を装着しているときの状態を示している。スライダー５０の一端は、連結板３０の一方の端部と当接するように形成され、コイルばね６０は少し圧縮された状態とされている。したがって、コイルばねの反力が、スライダー５０を介して、連結板３０の一方の端部を押すことになり、ばね蝶番１０を閉じる方向に回動する力が作用する。すなわち、使用者の頭に適当な挟持力が働くように調整されている。
【００２３】
一方の部材７０と連結板３０とは、図示の状態から少しだけ開く方向へ回動することができる。その角度は０〜１５°程度とすることが好ましい。一方の部材７０と連結板３０とは、図示の状態から閉じる方向へは回動することができない。
【００２４】
他方の部材８０と連結板３０とは、図示の状態から閉じる方向へは略９０°回動することができる。他方の部材８０と連結板３０とは、図示の状態から開く方向へは回動することができない。
【００２５】
図２は、図１の状態から、二つの部材７０、８０をさらに１５°程度拡開した状態であり、最大限に拡開した状態を示している。これは、使用者が眼鏡装着したり、脱着したりするときの状態である。図１の状態と比較して、コイルばね６０が一層圧縮されており、ばね蝶番１０を閉じる方向に大きな力が作用することになる。ここで拡開したのは、一方の部材７０と連結板３０の間のみであって、他方の部材８０と連結板３０との間は、図１の状態のままである。
【００２６】
図３は、二つの部材７０、８０を閉じた状態であり、使用者が眼鏡をケースに収容するときの状態を示している。図１の状態と比較して、閉じる方向に回動したのは、他方の部材８０と連結板３０の間のみであって、一方の部材７０と連結板３０との間は、図１の状態のままである。
【００２７】
本発明のばね蝶番１０は、上述のように回動軸を２つ形成したことを特徴としている。その一つは、一方の部材７０と連結板３０とを連結する軸ねじ４１を回動軸とする回動であって、１５°程度回動することができる。もう一つは、他方の部材８０と連結板３０とを連結する軸ねじ４２を回動軸とする回動であって、略９０°回動することができる。
【００２８】
回動軸を２つとしたことにより、ばね蝶番１０を回動しても、スライダー５０が収容孔７２から抜け出すことのないようにすることができる。すなわち、図７のばね蝶番１１０を構成するストッパー１９０を削除することができる。このため、構造が簡単であり、全体をコンパクトにまとめることができる。
【００２９】
したがって、コイルばね６０及びスライダー５０を備える一方の部材７０を、眼鏡フレームのヨロイとすることは勿論のこと、これをテンプルとすることも可能である。また、汎用性の高いばね蝶番として、広く使用することができる。
【符号の説明】
【００３０】
１０、１１０    ばね蝶番
３０    連結板
３１、３２    連結孔
４１、４２、１４０    軸ねじ
５０、１５０    スライダー
６０、１６０    コイルばね
７０    一方の部材
７１、８１    スリット空間
７２、１８２    収容孔
７３、８３    軸孔
８０    他方の部材
１５１    拡径頭部
１７０    テンプル
１７１、１８１    コマ部
１８０    ヨロイ
１９０    ストッパー
【図１】
2011002706.tif 000003
【図２】
2011002706.tif 000004
【図３】
2011002706.tif 000005
【図４】
2011002706.tif 000006
【図５】
2011002706.tif 000007
【図６】
2011002706.tif 000008
【図７】
2011002706.tif 000009